(57)【要約】【課題】浴室にて使用される、暖房、乾燥、ミストサウナ等浴室内の温度を上昇させる機能を有する浴室暖房乾燥機において、浴室内の温度ムラを低減させることを目的とする。【解決手段】浴室１の上部の空間温度を検知する浴室上部温度センサ２３を備えた本体８であって浴室１の下部の空間温度を検知する浴室下部温度センサ２４と、浴室上部温度センサ２３および浴室下部温度センサ２４によって検知された温度の温度差から浴室１内の温度ムラを判断する浴室内温度ムラ判断手段２５を設け、浴室内温度ムラ判断手段２５によって、浴室１内に温度ムラがあると判断した場合、循環ファンモータ１３で送風される風量を増大させることを特徴とした浴室暖房乾燥機。【選択図】図２
2013057473.tif 000002
【特許請求の範囲】
【請求項１】
浴室内の空気を浴室暖房乾燥機に取り入れる吸込口と、前記空気を加熱する空気加熱手段と、前記空気を循環させる循環送風手段と、前記循環送風手段により前記浴室内に前記空気を送風する吹出口と、前記空気が前記循環送風手段より前記吹出口に到達するまでに通過する通風路と、前記吹出口から送風された風向を変化させる風向制御手段と、前記浴室を換気する換気手段と、運転の制御を行なう運転制御手段と、前記浴室の上部の空間温度を検知する浴室上部温度検出手段とを備えた本体であって、前記浴室暖房乾燥機を操作し運転状態を表示する操作手段を備え、前記浴室の下部の空間温度を検知する浴室下部温度検出手段と、前記浴室上部温度検知手段および前記浴室下部温度検知手段によって検知された温度の温度差から前記浴室内の温度ムラを判断する浴室内温度ムラ判断手段を設け、前記浴室内温度ムラ判断手段によって、前記浴室内に温度ムラがあると判断した場合、前記循環送風手段で送風される風量を増大させることを特徴とした浴室暖房乾燥機。
【請求項２】
浴室内の空気を浴室暖房乾燥機に取り入れる吸込口と、前記空気を加熱する空気加熱手段と、前記空気を循環させる循環送風手段と、前記循環送風手段により前記浴室内に前記空気を送風する吹出口と、前記空気が前記循環送風手段より前記吹出口に到達するまでに通過する通風路と、前記吹出口から送風された風向を変化させる風向制御手段と、前記浴室を換気する換気手段と、運転の制御を行なう運転制御手段と、前記浴室の上部の空間温度を検知する浴室上部温度検出手段とを備えた本体であって、前記浴室暖房乾燥機を操作し運転状態を表示する操作手段を備え、前記浴室の下部の空間温度を検知する浴室下部温度検出手段と、前記浴室上部温度検知手段および前記浴室下部温度検知手段によって検知された温度の温度差から前記浴室内の温度ムラを判断する浴室内温度ムラ判断手段を設け、前記浴室内温度ムラ判断手段によって、前記浴室内に温度ムラがあると判断した場合、前記循環送風手段で送風された風向を変化させる前記風向制御手段により風向を変化させることを特徴とする浴室暖房乾燥機。
【請求項３】
浴室内に温度ムラがあると判断した場合、循環送風手段で送風される風量を増大させ、かつ、前記循環送風手段で送風された風向を変化させる前記風向制御手段により風向を変化させることを特徴とした請求項１記載の浴室暖房乾燥機。
【発明の詳細な説明】
【技術分野】
【０００１】
本発明は、浴室にて使用される、暖房、乾燥、ミストサウナ等浴室内の温度を上昇させる機能を有する浴室暖房乾燥機に関するものである。
【背景技術】
【０００２】
従来、この種の浴室暖房乾燥機の吹出口には、浴室内に送風する際に送風方向を決める風向板があるものが知られている（例えば、特許文献１参照）。
【０００３】
以下、その浴室暖房機について図５を参照しながら説明する。
【０００４】
図５に示すように、浴室暖房乾燥機は、浴室内の空気を循環させる通風手段１０１と、通風手段１０１による空気を吹き出す吹出口１０２と、吹出口１０２を通して吹き出される空気の吹き出し方向を変更する風向板１０３とを備え、吹出口１０２から吹き出される風を任意の方向に空気を吹き出すことができる構成となっている。
【先行技術文献】
【特許文献】
【０００５】
【特許文献１】特許第４４９７６３１号公報（第１５頁、図１１）
【発明の概要】
【発明が解決しようとする課題】
【０００６】
このような従来の浴室暖房乾燥機では、浴室内の温度を上昇させる際、浴室暖房乾燥機の設置状態および浴室のサイズなどによって、浴室内の空気の対流が効率的に行なわれず、浴室内での温度ムラが発生するという課題を有していた。
【０００７】
そこで本発明は、上記従来の課題を解決するものであり、浴室内の温度ムラを軽減することができる浴室暖房乾燥機を提供することを目的とする。
【課題を解決するための手段】
【０００８】
本発明の浴室暖房乾燥機は、上記目的を達成するために、浴室内の空気を浴室暖房乾燥機に取り入れる吸込口と、前記空気を加熱する空気加熱手段と、前記空気を循環させる循環送風手段と、前記循環送風手段により前記浴室内に前記空気を送風する吹出口と、前記空気が前記循環送風手段より前記吹出口に到達するまでに通過する通風路と、前記吹出口から送風された風向を変化させる風向制御手段と、前記浴室を換気する換気手段と、運転の制御を行なう運転制御手段と、前記浴室の上部の空間温度を検知する浴室上部温度検出手段とを備えた本体であって、前記浴室暖房乾燥機を操作し運転状態を表示する操作手段を備え、前記浴室の下部の空間温度を検知する浴室下部温度検出手段と、前記浴室上部温度検知手段および前記浴室下部温度検知手段によって検知された温度の温度差から前記浴室内の温度ムラを判断する浴室内温度ムラ判断手段を設け、前記浴室内温度ムラ判断手段によって、前記浴室内に温度ムラがあると判断した場合、前記循環送風手段で送風される風量を増大させることを特徴とするものである。
【０００９】
また、本発明は、浴室内の空気を浴室暖房乾燥機に取り入れる吸込口と、前記空気を加熱する空気加熱手段と、前記空気を循環させる循環送風手段と、前記循環送風手段により前記浴室内に前記空気を送風する吹出口と、前記空気が前記循環送風手段より前記吹出口に到達するまでに通過する通風路と、前記吹出口から送風された風向を変化させる風向制御手段と、前記浴室を換気する換気手段と、運転の制御を行なう運転制御手段と、前記浴室の上部の空間温度を検知する浴室上部温度検出手段とを備えた本体であって、前記浴室暖房乾燥機を操作し運転状態を表示する操作手段を備え、前記浴室の下部の空間温度を検知する浴室下部温度検出手段と、前記浴室上部温度検知手段および前記浴室下部温度検知手段によって検知された温度の温度差から前記浴室内の温度ムラを判断する浴室内温度ムラ判断手段を設け、前記浴室内温度ムラ判断手段によって、前記浴室内に温度ムラがあると判断した場合、前記循環送風手段で送風された風向を変化させる前記風向制御手段により風向を変化させることを特徴とするものである。
【発明の効果】
【００１０】
本発明によれば、室内の空気を浴室暖房乾燥機に取り入れる吸込口と、前記空気を加熱する空気加熱手段と、前記空気を循環させる循環送風手段と、前記循環送風手段により前記浴室内に前記空気を送風する吹出口と、前記空気が前記循環送風手段より前記吹出口に到達するまでに通過する通風路と、前記吹出口から送風された風向を変化させる風向制御手段と、前記浴室を換気する換気手段と、運転の制御を行なう運転制御手段と、前記浴室の上部の空間温度を検知する浴室上部温度検出手段とを備えた本体であって、前記浴室暖房乾燥機を操作し運転状態を表示する操作手段を備え、前記浴室の下部の空間温度を検知する浴室下部温度検出手段と、前記浴室上部温度検知手段および前記浴室下部温度検知手段によって検知された温度の温度差から前記浴室内の温度ムラを判断する浴室内温度ムラ判断手段を設け、前記浴室内温度ムラ判断手段によって、前記浴室内に温度ムラがあると判断した場合、前記循環送風手段で送風される風量を増大させることを特徴としたことにより、浴室内の温度ムラを軽減するという効果のある浴室暖房乾燥機を提供することができる。
【００１１】
また、本発明によれば、浴室内の空気を浴室暖房乾燥機に取り入れる吸込口と、前記空気を加熱する空気加熱手段と、前記空気を循環させる循環送風手段と、前記循環送風手段により前記浴室内に前記空気を送風する吹出口と、前記空気が前記循環送風手段より前記吹出口に到達するまでに通過する通風路と、前記吹出口から送風された風向を変化させる風向制御手段と、前記浴室を換気する換気手段と、運転の制御を行なう運転制御手段と、前記浴室の上部の空間温度を検知する浴室上部温度検出手段とを備えた本体であって、前記浴室暖房乾燥機を操作し運転状態を表示する操作手段を備え、前記浴室の下部の空間温度を検知する浴室下部温度検出手段と、前記浴室上部温度検知手段および前記浴室下部温度検知手段によって検知された温度の温度差から前記浴室内の温度ムラを判断する浴室内温度ムラ判断手段を設け、前記浴室内温度ムラ判断手段によって、前記浴室内に温度ムラがあると判断した場合、前記循環送風手段で送風された風向を変化させる前記風向制御手段により風向を変化させることを特徴としたことにより、浴室内の温度ムラを軽減するという効果を得ることができる。
【図面の簡単な説明】
【００１２】
【図１】本発明の実施の形態１の浴室暖房乾燥機の斜視図
【図２】同浴室暖房乾燥機の側構成図
【図３】同浴室暖房乾燥機の制御手段のブロック図
【図４】同浴室暖房乾燥機の制御手段のブロック図
【図５】従来の浴室暖房乾燥機の側断面図
【発明を実施するための形態】
【００１３】
本発明の請求項１記載の浴室暖房乾燥機は、室内の空気を浴室暖房乾燥機に取り入れる吸込口と、前記空気を加熱する空気加熱手段と、前記空気を循環させる循環送風手段と、前記循環送風手段により前記浴室内に前記空気を送風する吹出口と、前記空気が前記循環送風手段より前記吹出口に到達するまでに通過する通風路と、前記吹出口から送風された風向を変化させる風向制御手段と、前記浴室を換気する換気手段と、運転の制御を行なう運転制御手段と、前記浴室の上部の空間温度を検知する浴室上部温度検出手段とを備えた本体であって、前記浴室暖房乾燥機を操作し運転状態を表示する操作手段を備え、前記浴室の下部の空間温度を検知する浴室下部温度検出手段と、前記浴室上部温度検知手段および前記浴室下部温度検知手段によって検知された温度の温度差から前記浴室内の温度ムラを判断する浴室内温度ムラ判断手段を設け、前記浴室内温度ムラ判断手段により前記浴室内に温度ムラがあると判断した場合、循環送風量を増大させるという構成を有する。これにより、前記浴室内温度ムラがあると判断した場合に循環風量を増大させるという作用を有することになるので、浴室内の温度ムラを軽減するという効果を奏する。
【００１４】
また室内の空気を浴室暖房乾燥機に取り入れる吸込口と、前記空気を加熱する空気加熱手段と、前記空気を循環させる循環送風手段と、前記循環送風手段により前記浴室内に前記空気を送風する吹出口と、前記空気が前記循環送風手段より前記吹出口に到達するまでに通過する通風路と、前記吹出口から送風された風向を変化させる風向制御手段と、前記浴室を換気する換気手段と、運転の制御を行なう運転制御手段と、前記浴室の上部の空間温度を検知する浴室上部温度検出手段とを備えた本体であって、前記浴室暖房乾燥機を操作し運転状態を表示する操作手段を備え、前記浴室の下部の空間温度を検知する浴室下部温度検出手段と、前記浴室上部温度検知手段および前記浴室下部温度検知手段によって検知された温度の温度差から前記浴室内の温度ムラを判断する浴室内温度ムラ判断手段を設け、前記浴室内温度ムラ判断手段により前記浴室内に温度ムラがあると判断した場合、前記風向制御手段により風向を変化させるという構成を有する。これにより、前記浴室内温度ムラがあると判断した場合に前記風向制御手段により風向を変化させるという作用を有することになるので、浴室内の温度ムラを軽減するという効果を奏する。
【００１５】
以下、本発明の実施の形態について図面を参照しながら説明する。
【００１６】
（実施の形態１）
図１に示すように、浴室１は浴槽２と、浴槽２と壁などで分断されていない空間である洗い場空間３を備え、天井面４には点検口５および開口部６があり、図２に示す浴室１の天井裏空間７に浴室暖房乾燥機を形成する本体８を設け、開口部６を介して浴室１に連通している。
【００１７】
なお、図１に示す点検口５は洗い場空間３の直上、開口部６は浴槽２の直上に位置している。
【００１８】
また、図２に示すように浴室暖房乾燥機は、浴室１の天井面４にパネル９が設置され、パネル９は吸込口１０と吹出口１１を備え、浴室暖房乾燥機の本体８は、吸込口１０の近傍に浴室１の空気を吸込口１０から取り入れた空気を加熱する空気加熱手段としての温水を用いた熱交換器１２と、熱交換器１２に対して下流側に空気を循環させる循環送風手段としての循環ファンモータ１３とを備えており、循環ファンモータ１３が駆動することにより、吸込口１０から取り入れた空気は熱交換器１２により加熱され温風となる。前記温風は、循環ファンモータ１３により浴室１に空気を送風する吹出口１１まで、を繋ぐ通風路１４を通過し吹出口１１に到達する。
【００１９】
さらに、前記温風は、吹出口１１から送風された風向を変化させる風向制御手段としての風向板１５と、前記風向板１５を稼動させる手段としてのモータ好ましくはステッピングモータ（図示せず）により、浴室１の任意の方向へ送風することができる。
【００２０】
なお、循環ファンモータ１３として、ファンは例えばシロッコファンを用い、モータはＤＣを用いている。
【００２１】
なお、本実施の形態１において、浴室暖房乾燥機の本体８に浴室１をサウナ空間とすることができる加湿手段を設けても良い。
【００２２】
なお、本実施の形態１では空気加熱手段として温水を用いた熱交換器１２を用いたが、熱交換器１２に換えてＰＴＣヒータ、ハロゲンヒータ、シーズヒータ等他の電気式ヒータでもよい。
【００２３】
そして、前記浴室暖房乾燥機は、本体８の点検口５側の外部に浴室１の空気を屋外に排出する換気手段としての換気ファンモータ１６を備えた換気部１７をねじ止めさせて設け、換気部１７と本体８を連通し連通する開口形状（開口面積に相当）を調節するダンパ１８を備え、浴室１の換気を行うことができる。
【００２４】
なお、換気ファンモータ１６として、ファンは例えばシロッコファンを用い、モータはＤＣを用いている。
【００２５】
なお、ダンパ１８なし、本体８内部に換気手段を備えた浴室暖房乾燥機、または外部換気装置と浴室暖房乾燥機とをダクト配管を介して連通する構成でも良い。
【００２６】
また、前記浴室暖房乾燥機は、運転の制御を行なう運転制御手段としての電装基板１９と、前記浴室暖房乾燥機を脱衣室２０内から操作し運転状態を表示する操作手段としての脱衣室リモコン２１と前記浴室暖房乾燥機を浴室１から操作し運転状態を表示する操作手段としての浴室リモコン２２とを備え、脱衣室リモコン２１および浴室リモコン２２からの操作により、浴室暖房乾燥機の運転を行うことができる。
【００２７】
また、前記浴室暖房乾燥機は、浴室上部温度検知手段としての浴室上部温度センサ２３と、浴室下部温度検知手段としての浴室下部温度センサ２４と、浴室上部温度センサ２３と浴室下部温度センサ２４で検知された温度より浴室１の上部と下部の空間温度差すなわち浴室上下温度差を演算しかつ浴室１内の温度ムラの程度を判断する浴室温度ムラ判定手段２５を備えており、浴室１内の温度ムラの程度を判断する。
【００２８】
なお、浴室上部温度センサ２３および浴室下部温度センサ２４は、サーミスタセンサや赤外線センサ他多種の温度センサを用いてよく、さらに浴室上部温度センサ２３および浴室下部温度センサ２４は浴室１の上部および下部の空間温度を検知できる位置に設置されればよい。
【００２９】
なお、浴室上部温度センサ２３は本体８の内部に、浴室下部温度センサ２４は浴室リモコン２２の内部に設置されてもよく、これにより施工時に浴室上部温度センサ２３および浴室下部温度センサ２４を別途設置する手間を省くことが可能となる。ただし、浴室下部温度センサ２４を浴室リモコン２２の内部に設置する場合、浴室リモコン２２は浴槽２と洗い場空間３の中間かつ使用者が洗い場に座った状態で操作しやすい位置に設置されることが良い。
【００３０】
また、浴室温度ムラ判定手段２５は電装基板１９の内部に設置されてもよく、これにより浴室温度ムラ判定手段２５から電装基板１９への通信が容易となる。
【００３１】
図３に示すように、浴室リモコン２２もしくは脱衣室リモコン２１を操作することで浴室１内の温度を上昇させる運転モード、例えば暖房運転、乾燥運転、ミストサウナ運転などが始動すると、風向板１５は運転モード毎に使用者が設定した角度Ａ０となるが、その角度Ａ０の設定はあらかじめ設定されているいくつかの設定角度から使用者が選択するものであり、前記使用者が詳細に角度を設定することはできない。
【００３２】
そして、循環ファンモータ１３が作動すると吸込口１０から吸い込まれた空気は熱交換器１２および通風路１４を経て吹出口１１へ到達し、風向板１５により定められた角度Ａ０で浴室１に吹き出される。その際吹き出される空気の風量は、あらかじめ各運転モードで設定されている初期設定値Ｑ０である。
【００３３】
なお、角度とは、天井面４と風向板１５との間の洗い場空間３側の角度である。
【００３４】
その後、徐々に浴室１内の温度は上昇するが、浴室暖房乾燥機の設置状態や浴室１の広さなどの影響により浴室１内の温度ムラが大きくなることがある。
【００３５】
浴室温度ムラ判定手段２５は運転開始より一定時間Ｔ（例えば５分）が経過した後、一定時間ｔ（例えば１分）毎に浴室１内の温度ムラの程度を判断するが、その判断基準は浴室上下温度差Ｄが温度ムラ判定閾値以上であるかないかである。
【００３６】
浴室１内の温度ムラが大きいと判断された場合、電装基板１９は循環ファンモータ１３の動作を変更させ循環風量をＱ０よりＱ１へと増大させるが、循環風量をＱ１へと増大させた後、一定時間ｔ経過した際に、浴室上下温度差Ｄが温度ムラ判定閾値以下となることで浴室１内の温度ムラが低減されたと判断されると、循環風量が初期設定値Ｑ０となるよう再度循環ファンモータ１３の動作が変更される。ここで、循環風量をＱ１へと増大させた後でも浴室１内の温度ムラが低減してないと判断されると、循環風量はＱ２へと増大されるよう循環ファンモータ１３の動作は変更される。この循環ファンモータ１３の動作変更は、浴室１内の温度ムラが低減したと判断されるまで繰り返されるが、循環風量は無限に増大されるわけでなく、循環風量の最大設定値Ｑｍａｘまで増大されることとし、浴室１内の温度ムラが低減したと判断された後は循環風量は初期設定値Ｑ０に変更されることとする。
【００３７】
なお、浴室１内の温度ムラが低減したと判断された後、増大させていた循環風量を初期設定値Ｑ０に変更することで浴室１内の温度ムラを低減させながらも、使用するエネルギーを必要最低限に抑えた運転が可能となる。
【００３８】
また電装基板１９は前記の浴室１内の温度ムラが低減したと判断された際の循環ファンモータ１３の動作を記憶する。そして次回同じ運転モードで運転開始する際には、循環ファンモータ１３はその記憶した動作を行い、それにより浴室１内の温度をムラなく素早く上昇させることができる。この際にも浴室上下温度差Ｄが温度ムラ判定閾値未満になれば循環風量は初期設定値Ｑ０へと変更される。この理由は先に記したように使用するエネルギーを必要最低限に抑えて運転するためである。
【００３９】
なお、上記のように、風量を増大させて浴室１内の温度ムラを低減させる手段は、作動させないように設定することも可能であるとする。
【００４０】
また、浴室１内に温度ムラがあると判断された場合に浴室１内の温度ムラを低減させる手段として風向を変化させる場合の動作について説明する。
【００４１】
図４に示すように、運転開始後、一定時間Ｔ経過した後の浴室上下温度差Ｄ０が温度ムラ判定閾値以上であり、浴室１内に温度ムラがあると判断された場合、電装基板１９は風向板１５を使用者が設定した角度Ａ０から一定角度α度（例えば３度）洗い場空間３側へ向けた角度Ａ１に変更させる。
【００４２】
風向板１５の角度をＡ１に変更し一定時間ｔ経過した後の浴室上下温度差Ｄ１がＤ０よりも小さくなった場合、Ａ０よりＡ１の方が浴室１内の温度ムラを低減するために適した風向板１５の角度であると判断し、さらに風向板１５をα度洗い場空間３側へと向けＡ２とし、その際の浴室上下温度差Ｄ２が先ほど検知した浴室上下温度差Ｄ１より大きいか小さいかを判断する。上記の判断を風向板１５の角度を変化させる前の角度Ａｂにおける浴室上下温度差Ｄｂより風向板１５の角度を変化させた後の角度Ａａにおける浴室上下温度差Ｄａが大きくなるまで繰り返す。ＤａがＤｂより大きくなった時点でＡｂが浴室１内の温度ムラを最も低減させる角度と判断し、風向板１５の角度をＡｂへと変更しその角度で風向板１５を停止させた状態で運転を継続する。
【００４３】
もし、前記Ｄ１がＤ０よりも大きくなった場合には、風向板１５を洗い場空間３側へ向けるのは適切でないと判断し、風向板１５は一定角度α度浴槽２側へ向けられる。洗い場空間３側へ風向板１５を向ける場合と同様に、風向板１５の角度を変化させる前の角度Ａｂにおける浴室上下温度差Ｄｂより風向板１５の角度を変化させた後の角度Ａａにおける浴室上下温度差Ｄａが大きくなるまで動作を繰り返し、ＤａがＤｂより大きくなった時点でＡｂが浴室１内の温度ムラを最も低減させる角度と判断し、風向板１５の角度をＡｂへと変更しその角度で風向板１５を停止させた状態で運転を継続する。
【００４４】
また、単純に風向板１５を可動できる最小角度Ａｍｉｎから最大角度Ａｍａｘまで変化させ、その中で浴室１内上下温度差Ｄが最も小さくなる角度が浴室１内の温度ムラを最も低減させる角度と判断してもよい。なお、この際に風向板１５の動作方法などには特に規定はない。
【００４５】
また、電装基板１９は上記の浴室１内の温度ムラを最も低減させる角度を記憶する。そして、次回同じ運転モードで運転開始する際には、その記憶した角度より運転を開始させ、運転開始直後より浴室１内の温度ムラの少ない快適な入浴環境を整える。なお使用者が風向設定を変更した場合には速やかにその風向に変更するが、次回運転開始時には浴室１内の温度ムラを最も低減させる角度で運転開始することとするが、運転開始時の風向板１５の角度をあらかじめ浴室暖房乾燥機で設定されているいくつかの設定角度にして運転開始することもできるものとする。
【産業上の利用可能性】
【００４６】
本発明にかかる浴室暖房乾燥機は、浴室の上部と下部の空間温度を検知することにより浴室内の温度ムラの程度を判断し、浴室内の温度ムラの低減を可能とするものであるので、浴室に使用される、浴室内の温度ムラを少なくできる快適な浴室暖房乾燥機として有用である。
【符号の説明】
【００４７】
１    浴室
２    浴槽
３    洗い場空間
４    天井面
５    点検口
６    開口部
７    天井裏空間
８    本体
９    パネル
１０  吸込口
１１  吹出口
１２  熱交換器
１３  循環ファンモータ
１４  通風路
１５  風向板
１６  換気ファンモータ
１７  換気部
１８  ダンパ
１９  電装基板
２０  脱衣室
２１  脱衣室リモコン
２２  浴室リモコン
２３  浴室上部温度センサ
２４  浴室下部温度センサ
２５  浴室温度ムラ判定手段
【図１】
2013057473.tif 000003
【図２】
2013057473.tif 000004
【図３】
2013057473.tif 000005
【図４】
2013057473.tif 000006
【図５】
2013057473.tif 000007